(57)【要約】【課題】  屋外の風圧による影響を大きく受けずにファンにより屋内の空気を確実に吸い込み、屋外の空気と混合して屋内に吹き出すことができる換気装置を提供する。【解決手段】  換気装置３の装置本体１０は、屋外の空気を導入する屋外側導入口１２ａと、屋内の空気を導入する屋内側導入口１３ａと、屋外の空気と屋内の空気との混合空気を吹き出す吹出口１５ａと、を有している。装置本体１０内に設置されたファン２０は、屋外の空気と屋内の空気を吸込口２４から吸い込んで、屋外の空気と屋内の空気の混合空気を吹出口１５ａへと吐出する。装置本体１０内には、ファン２０の吸込口２４に至るまで延びる仕切壁３５，３６が配置されている。仕切壁３５，３６により、屋外側導入口１２ａから吸込口２４まで屋外の空気を案内する屋外空気通路３７と、屋内側導入口１３ａから吸込口２４まで屋内の空気を案内する屋内空気通路３８が、隔離されている。【選択図】  図５Ａ
2020190343.tif 000002
【特許請求の範囲】
【請求項１】
屋外の空気を導入する屋外側導入口と、屋内の空気を導入する屋内側導入口と、屋外の空気と屋内の空気との混合空気を吹き出す吹出口と、を有する中空の装置本体と、
上記装置本体内に設置され、上記屋外の空気と上記屋内の空気を吸込口から吸い込んで、屋外の空気と屋内の空気の混合空気を上記吹出口へ吐出するファンと、
を備えた換気装置において、
さらに、上記装置本体内に配置され上記ファンの上記吸込口に至るまで延びる仕切壁を備え、上記仕切壁により、上記屋外側導入口から上記吸込口まで屋外の空気を案内する屋外空気通路と、上記屋内側導入口から上記吸込口まで屋内の空気を案内する屋内空気通路が、隔離されていることを特徴とする換気装置。
【請求項２】
上記装置本体が細長く形成され、上記ファンの回転軸線が上記装置本体の長手方向に沿って延びており、
上記仕切壁は、上記装置本体の長手方向に延びてその一端が上記ファンの上記吸込口に至る第１仕切壁部と、少なくとも一部が上記装置本体の長手方向と交差する方向に延びる第２仕切壁部と、を有し、
上記屋外空気通路と上記屋内空気通路は、上記第１仕切壁部により隔離されたファン側通路部分をそれぞれ有することを特徴とする請求項１に記載の換気装置。
【請求項３】
上記第１仕切壁部の他端と上記第２仕切壁との間には、フィルタを着脱可能に挿入するためのフィルタ挿入口が形成されており、
上記フィルタは、上記屋外側空気通路の上記ファン側通路部分における上記吸込口とは反対側の開口端に配置される屋外側フィルタ部と、上記屋内側空気通路の上記ファン側通路部分における上記吸込口とは反対側の開口端に配置される屋内側フィルタ部と、を有し、上記屋外側フィルタ部と上記屋内側フィルタ部の境部が上記フィルタ挿入口に配置されていることを特徴とする請求項２に記載の換気装置。
【請求項４】
上記装置本体は上記屋外側導入口に連なる滞留室を有しており、
上記第２仕切壁部は、屋外に向かって上記ファンに近づくように傾斜して上記装置本体の内部空間を横切り、上記屋内空気通路の上記ファン側通路部分と上記滞留室とを隔離しており、
上記第２仕切壁部には、上記屋外空気通路の上記ファン側通路部分と上記滞留室とを連通させる連通口が形成され、これにより、上記屋外側空気通路は、上記ファン側通路部分と上記滞留室を含んでおり、
上記屋外側フィルタ部と上記屋内側フィルタ部は互いに交差する２つの平面上にあり、これによりフィルタは折り曲げられた形状を有しており、
上記屋外側フィルタ部が上記第２仕切壁部に沿って配置され、上記屋内側フィルタ部が上記第２仕切壁部と交差する方向に傾斜して配置され、上記第２仕切壁部と上記屋内側フィルタ部との間に上記屋内側導入口が配置されていることを特徴とする請求項３に記載の換気装置。
【請求項５】
上記ファンは、上記装置本体の中央部に設置されるとともに、その両端に上記吸込口を有し、上記屋外側導入口、上記屋内側導入口、上記屋外空気通路、上記屋内空気通路および上記仕切壁が、上記ファンの両側に配置されていることを特徴とする請求項１〜４のいずれかに記載の換気装置。
【請求項６】
上記装置本体は、屋内に臨む正面壁と、屋外に臨む背面壁と、底壁とを含んでおり、上記背面壁に上記屋外側導入口が形成され、上記底壁に上記屋内側導入口が形成され、上記正面壁に上記吹出口が形成されていることを特徴とする請求項１〜５のいずれかに記載の換気装置。
【請求項７】
上記装置本体は、屋内に臨む正面壁と、屋外に臨む背面壁とを含んでおり、上記背面壁に上記屋外側導入口が形成され、上記正面壁には上記ファンおよび上記フィルタを露出させるための開口が形成され、この開口が上記装置本体に回動可能に支持されたカバーにより開閉されるようになっており、上記カバーは上記正面壁の一部として提供されるとともに、上記吹出口を有しており、
さらに、上記装置本体には上記カバーの開閉操作に応答するスイッチが配置され、このスイッチは、上記カバーが閉じ位置にある時に上記ファンを回転駆動させ、上記カバーが開き位置にある時に上記ファンを停止させることを特徴とする請求項３または４に記載の換気装置。
【請求項８】
さらに、上記装置本体の背面壁に沿って配置されたシャッタ板と、このシャッタ板を上記屋外側導入口を開く開き位置と上記屋外側導入口を閉じる閉じ位置との間で移動させるアクチュエータと、を備え、
上記スイッチは、上記カバーが閉じられた時に上記アクチュエータを駆動させて上記シャッタを開き位置にし、上記カバーが開かれた時に上記アクチュエータを駆動させて上記シャッタを閉じ位置にすることを特徴とする請求項７に記載の換気装置。
【発明の詳細な説明】
【技術分野】
【０００１】
本発明は、ファンを用いて屋外の空気を屋内に取り入れる換気装置に関する。
【背景技術】
【０００２】
ファンを用いて屋外の新鮮な空気を屋内に吹き出すことにより、屋内環境を清浄に維持するようにした換気装置は公知である。このような換気装置では、特に寒冷時に屋内を暖房している状況において、屋外の冷たい空気が屋内に吐き出されるため、結露が生じたり、居住者の足元に冷気が当たり不快感を与える。
【０００３】
そこで、特許文献１，２に開示された換気装置では、装置本体が屋外の空気を導入する屋外側導入口に加えて、屋内の空気を導入する屋内側導入口を有している。屋外の空気と屋内の空気は、換気装置内の空間で混合され、この混合された空気がファンの吸込口に吸いこまれ、装置本体の吹出口から屋内に吹き出されるようになっている。
上記換気装置によれば、寒冷時において屋外の冷たい空気が屋内の暖かい空気と混合して屋内に供給されるため、冷気を和らげることができ、結露が生じたり居住者の足元に冷気が当たるのを抑制することができる。
【先行技術文献】
【特許文献】
【０００４】
【特許文献１】特開２０００−２７４７８４号公報
【特許文献２】特開２００５−１３３９６１号公報
【発明の開示】
【発明が解決しようとする課題】
【０００５】
特許文献１，２に開示された換気装置では、装置本体内に屋外の空気と屋内の空気を混合する空間が存在しているため、屋外の風圧により屋外の空気と屋内の空気の混合比が大きく影響を受けてしまう。例えば屋外の風圧が高い場合には、屋外の空気が屋内の空気を圧迫し、その結果、屋外の空気の比率が異常に高まってしまい、上述した結露や居住者の足元への冷気を防ぐことができなくなる。
【課題を解決するための手段】
【０００６】
本発明は、上記課題を解決するためになされたものであり、屋外の空気を導入する屋外側導入口と、屋内の空気を導入する屋内側導入口と、屋外の空気と屋内の空気との混合空気を吹き出す吹出口と、を有する中空の装置本体と、上記装置本体内に設置され、上記屋外の空気と上記屋内の空気を吸込口から吸い込んで、屋外の空気と屋内の空気の混合空気を上記吹出口へ吐出するファンと、を備えた換気装置において、
さらに、上記装置本体内に配置され上記ファンの上記吸込口に至るまで延びる仕切壁を備え、上記仕切壁により、上記屋外側導入口から上記吸込口まで屋外の空気を案内する屋外空気通路と、上記屋内側導入口から上記吸込口まで屋内の空気を案内する屋内空気通路が、隔離されていることを特徴とする。
【０００７】
上記構成によれば、屋外の空気と屋内の空気が仕切壁によりファンの吸込口に至るまで混合しないため、屋外の風圧による影響を大きく受けずにファンにより屋内の空気を確実に吸い込み、屋外の空気と混合して屋内に吹き出すことができる。そのため、寒冷時に屋外の風圧が高い場合でも混合空気の温度を屋外空気の温度より確実に高めることができ、その結果として、結露を防止でき、居住者の足元に冷気が当たるのを防ぐことができる。
【０００８】
好ましくは、上記装置本体が細長く形成され、上記ファンの回転軸線が上記装置本体の長手方向に沿って延びており、上記仕切壁は、上記装置本体の長手方向に延びてその一端が上記ファンの上記吸込口に至る第１仕切壁部と、少なくとも一部が上記装置本体の長手方向と交差する方向に延びる第２仕切壁部と、を有し、上記屋外空気通路と上記屋内空気通路は、上記第１仕切壁部により隔離されたファン側通路部分をそれぞれ有する。
上記構成によれば、屋外の空気と屋内の空気は、互いに隔離されながらファンの回転軸線に沿って流れてファンに吸い込まれるため、より一層確実に屋内空気を屋外空気とともに吸い込むことができる。
【０００９】
好ましくは、上記第１仕切壁部の他端と上記第２仕切壁との間には、フィルタを着脱可能に挿入するためのフィルタ挿入口が形成されており、上記フィルタは、上記屋外側空気通路の上記ファン側通路部分における上記吸込口とは反対側の開口端に配置される屋外側フィルタ部と、上記屋内側空気通路の上記ファン側通路部分における上記吸込口とは反対側の開口端に配置される屋内側フィルタ部と、を有し、上記屋外側フィルタ部と上記屋内側フィルタ部の境部が上記フィルタ挿入口に配置されている。
上記構成によれば、屋外の空気および屋内の空気に含まれる花粉等の塵埃は、フィルタの屋外側フィルタ部と屋内側フィルタ部により除去されるので、清浄な混合空気を屋内に吹き出すことができる。また、フィルタは第１仕切壁部と第２仕切壁部との間のフィルタ挿入口を介して着脱可能に装着できるため、交換作業も簡単である。
【００１０】
好ましくは、上記装置本体は上記屋外側導入口に連なる滞留室を有しており、上記第２仕切壁部は、屋外に向かって上記ファンに近づくように傾斜して上記装置本体の内部空間を横切り、上記屋内空気通路の上記ファン側通路部分と上記滞留室とを隔離しており、上記第２仕切壁部には、上記屋外空気通路の上記ファン側通路部分と上記滞留室とを連通させる連通口が形成され、これにより、上記屋外側空気通路は、上記ファン側通路部分と上記滞留室を含んでおり、上記屋外側フィルタ部と上記屋内側フィルタ部は互いに交差する２つの平面上にあり、これによりフィルタは折り曲げられた形状を有しており、上記屋外側フィルタ部が上記第２仕切壁部に沿って配置され、上記屋内側フィルタ部が上記第２仕切壁部と交差する方向に傾斜して配置され、上記第２仕切壁部と上記屋内側フィルタ部との間に上記屋内側導入口が配置されている。
上記構成によれば、滞留室がバッファとして働くので、屋外の風圧の一時的な上昇の影響を緩和できる。また、フィルタは第２仕切壁部に沿って挿入することができ、その設置作業が楽である。さらに、屋内側フィルタ部と第２仕切壁部との間にスペースが形成され、このスペースに屋内側導入口を連ねることができる。
【００１１】
好ましくは、上記ファンは、上記装置本体の中央部に設置されるとともに、その両端に上記吸込口を有し、上記屋外側導入口、上記屋内側導入口、上記屋外空気通路、上記屋内空気通路および上記仕切壁が、上記ファンの両側に配置されている。
上記構成によれば、ファンの両側から屋外空気と屋外空気を吸い込むことができる。
【００１２】
好ましくは、上記装置本体は、屋内に臨む正面壁と、屋外に臨む背面壁と、底壁とを含んでおり、上記背面壁に上記屋外側導入口が形成され、上記底壁に上記屋内側導入口が形成され、上記正面壁に上記吹出口が形成されている。
上記構成によれば、屋内空気の導入方向と混合空気の吹き出し方向が異なるので、吹き出した混合空気が直ぐに換気装置に導入されるのを回避でき、良好な換気を確保できるとともに、寒冷時に吹出される冷気を効率良く和らげることができる。
【００１３】
好ましくは、上記装置本体は、屋内に臨む正面壁と、屋外に臨む背面壁とを含んでおり、上記背面壁に上記屋外側導入口が形成され、上記正面壁には上記ファンおよび上記フィルタを露出させるための開口が形成され、この開口が上記装置本体に回動可能に支持されたカバーにより開閉されるようになっており、上記カバーは上記正面壁の一部として提供されるとともに、上記吹出口を有しており、さらに、上記装置本体には上記カバーの開閉操作に応答するスイッチが配置され、このスイッチは、上記カバーが閉じ位置にある時に上記ファンを回転駆動させ、上記カバーが開き位置にある時に上記ファンを停止させる。
上記構成によれば、ファンのメンテナンスやフィルタの交換等を行なうためにカバーを開いた時に、ファンを自動的に停止させることができ、ファンのメンテナンスやフィルタの交換の作業が完了してカバーを閉じた時に、ファンを自動的に回転駆動させることができる。
【００１４】
好ましくは、さらに、上記装置本体の背面壁に沿って配置されたシャッタ板と、このシャッタ板を上記屋外側導入口を開く開き位置と上記屋外側導入口を閉じる閉じ位置との間で移動させるアクチュエータと、を備え、上記スイッチは、上記カバーが閉じられた時に上記アクチュエータを駆動させて上記シャッタを開き位置にし、上記カバーが開かれた時に上記アクチュエータを駆動させて上記シャッタを閉じ位置にする。
上記構成によれば、ファンのメンテナンスやフィルタの交換等を行なうためにカバーを開いた時に、モータの停止に連動して屋外側導入口を自動的に閉じ、カバーを閉じた時にモータの回転駆動開始に連動して屋外側導入口を自動的に開くことができる。
【発明の効果】
【００１５】
本発明によれば、屋外の風圧による影響を大きく受けずにファンにより屋内の空気を確実に吸い込み、屋外の空気と混合して屋内に吹き出すことができる。
【図面の簡単な説明】
【００１６】
【図１】本発明の一実施形態に係る換気装置を組み込んだサッシ戸を屋内側から見た正面図である。
【図２Ａ】上記換気装置を屋内側から見た斜視図である。
【図２Ｂ】上記換気装置を屋外側から見た斜視図である。
【図３】上記換気装置を、カバーを開いた状態で示す斜視図である。
【図４】上記換気装置を、装置本体とファンとフィルタに分解した状態で示す斜視図である。
【図５Ａ】上記換気装置の右半分を水平面で切断した断面図である。
【図５Ｂ】上記換気装置の左半分を水平面で切断した断面図である。
【図６Ａ】上記フィルタの平面図である。
【図６Ｂ】上記フィルタを図６Ａにおいて矢印Ｂ方向から見た図である。
【図６Ｃ】上記フィルタを図６Ａにおいて矢印Ｃ方向から見た図である。
【発明を実施するための形態】
【００１７】
以下、本発明の一実施形態を、図面を参照しながら説明する。図１に示すように、建物の壁穴に嵌め込まれた窓枠１に、サッシ戸２が例えば右側縁を中心に回動可能に支持され、屋外に向かって開くことができるようになっている。
本発明の換気装置３は、サッシ戸２の上框または上框の一部として、サッシ戸２に組み込まれている。
【００１８】
図１〜図３に示すように、換気装置３は、左右方向に細長く延びその両端が閉塞された中空の装置本体１０を備えている。装置本体１０の中央部にはファン２０が配置され、その左右には送風ガイド３０およびフィルタ４０が配置されている。
【００１９】
装置本体１０は屋内に臨む垂直に起立した正面壁１１を有している。この正面壁１１には、左右に延びる細長い開口１１ａが形成されており、この開口１１ａにより、上記ファン２０と左右の送風ガイド３０およびフィルタ４０が屋内に露出されるようになっている。
開口１１ａの下縁には、左右に延びるカバー１５の下縁がヒンジ１６により送風ガイド３０ひいては装置本体１０に回動可能に支持されており、このカバー１５により開口１１ａが開閉されるようになっている。カバー１５は正面壁１１の一部として提供され、後述する混合空気を吹き出すための多数の穴からなる吹出口１５ａを有している。
【００２０】
図３、図４に示すように、カバー１５の屋外側を向く面の左右部には磁石１７が固定され、左右の送風ガイド３０の屋内側を向く面にも磁石１８が固定されている。これら磁石１７，１８同士が吸着することにより、カバー１５の閉じ状態が維持されている。
【００２１】
図２Ｂ、図５Ａ、図５Ｂに示すように、装置本体１０は屋外に臨む垂直に起立した背面壁１２を有している。この背面壁１２の左右部には、屋外の空気を導入するための屋外側導入口１２ａが形成されている。本実施形態の屋外側導入口１２ａは、縦に並べられた複数の穴群を左右方向に等ピッチで配置することにより構成されている。
【００２２】
装置本体１０内には、背面壁１２の屋内側の面に接するようにしてシャッタ板５０が配置されている。このシャッタ板５０は、左右方向に延びており、その左右部には上記屋外側導入口１２ａに対応する制御口５１が屋外側導入口１２ａと等しいピッチで多数形成されている。シャッタ板５０は、アクチュエータ５５により、制御口５１が屋外側導入口１２ａと一致して屋外側導入口１２ａを開く開き位置と、制御口５１が屋外側導入口１２ａと一致せず屋外側導入口１２ａを閉じる閉じ位置との間で、左右に移動されるようになっている。
【００２３】
図３〜図５に示すように、装置本体１０の底壁１３の左右部には、屋内の空気を導入するための屋内側導入口１３ａが形成されている。
【００２４】
図３〜図５に示すように、装置本体１０の中央部に配置されたファン２０は、ダブルシロッコファンからなり、屋内側が開放されたケース２１と、このケース２１の中央に支持されたモータ２２と、このモータ２２の左右の出力軸部に固定され円筒状に配置されたブレード２３とを有している。ブレード２３の回転軸線は装置本体１０の長手方向に延び、その先端開口が吸込口２４となっている。ケース２１の屋内側開放部は吐出口２５として提供される。吐出口２５から吐出された空気は、正面壁１１の吹出口１５ａから屋内に吹き出すようになっている。
【００２５】
図５Ａ，図５Ｂに示すように、一対の送風ガイド３０の各々は、左右両端が開放された筒状のガイド本体３１と、垂直に起立した平板形状の第１、第２の仕切壁部３５，３６（仕切壁）と、を一体に有している。
第１仕切壁部３５は、装置本体１０の長手方向に延びており、ガイド本体３１の内部空間を２つのファン側通路部分３７ａ，３８ａに分断している。ガイド本体３１と第１仕切壁部３５の一端は、ファン２０の吸込口２４まで延びている。第１仕切壁部３５は、ファン３０の吸込口２４の面積Ａを、屋外側のファン側通路部分３７ａが大きく屋内側のファン側通路部分３８ａが小さくなるように、例えばその比が７：３になるように分割している。
【００２６】
第２仕切壁部３６は、その屋外側端部がガイド本体３１の他端に連なり、装置本体１０の内部空間を横切っている。第２仕切壁部３６は、屋内から屋外に向かってファン２０に近づくように、装置本体１０の長手方向に対して傾斜している。
【００２７】
第２仕切壁部３６と装置本体１０の閉塞端との間には、背面壁１２の屋外側導入口１２ａに連なる滞留室３７ｂが形成されている。
第２仕切壁部３６の屋外側の部分には、連通口３６ａが形成されている。この連通口３６ａを介して滞留室３７ｂと屋外側のフィン側通路部分３７ａが連通されている。この滞留室３７ｂとファン側通路部分３７ａにより、屋外側導入口１２ａから導入された屋外の空気をファン２０の吸込口２４まで案内するための屋外空気通路３７が構成されている。
【００２８】
第２仕切壁部３６の屋内側の部分は、滞留室３７ｂと、屋内側導入口１３ａおよび屋内側のファン側通路部分３８ａとを隔離している。装置本体１０における屋内側導入口１３ａの真上のスペース３８ｂとファン側通路部分３８ａにより、屋内側導入口１３ａから導入された屋内の空気をファン２０の吸込口２４まで案内するための屋内空気通路３８が構成されている。スペース３８ｂは滞留室３７ｂより遥かに小さい。
【００２９】
第１仕切壁部３５は第２仕切壁部３６に向かって延びており、その他端と第２仕切壁部３６との間には間隙が形成されている。この間隙はフィルタ挿入口３９として提供されている。
【００３０】
図６に示すように、左右一対のフィルタ４０の各々は、枠４１と２つのフィルタ材４２，４３を有している。枠４１は、屋外側の第１枠部４１ａと屋内側の第２枠部４１ｂを有している。第１枠部４１ａとこの第１枠部４１ａに取り付けられたフィルタ材４２により、屋外側フィルタ部４７が構成され、第２枠部４１ｂとこの第２枠部４１ｂに取り付けられたフィルタ材４３により、屋内側フィルタ部４８が構成されている。屋外側フィルタ部４７は屋内側フィルタ部４８より広い面積を有している。
【００３１】
屋外側フィルタ部４７と屋内側フィルタ部４８は、互いに略９０°で交差する平面上に配置され、これによりフィルタ４０はく字状に折り曲げられた形状を有している。フィルタ４０はさらに、枠４１の屋内側の縁と一体をなすつまみ４５を有している。
【００３２】
屋外側フィルタ部４７は、第２仕切壁部３６に沿い、ファン側通路部分３７ａのファン２０とは反対側の開口端（すなわち、屋外空気通路３７の滞留室３７ｂとファン側通路部分３７ａとの間）に配置されている。
屋内側フィルタ部４８は、第２仕切壁部３６と反対方向に傾斜して第２仕切壁部３６と交差しており、ファン側通路部分３８ａのファン２０とは反対側の開口端（すなわち、スペース３８ｂとファン側通路部分３８ａとの間）に配置されている。換言すれば、屋内側フィルタ４８と第２仕切壁部３６との間に、上記スペース３８ｂと上記屋内側導入口１３ａが配置されている。
【００３３】
図５Ａ，図５Ｂに示すように、フィルタ４０はカバー１５を開いた状態で、つまみ４５を手でつまみ、屋外側フィルタ部４７をフィルタ挿入口３９に差し込み第２仕切壁部３６に沿って屋外に向かって押し込むことにより、簡単に設置することができる。この設置状態で、フィルタ４０における屋外側フィルタ部４７と屋内側フィルタ部４８の境部４９（屈曲部）がフィルタ挿入口３９を塞ぐ。つまみ４５は閉じ状態のカバー１５に沿って配置される。
【００３４】
図３に示すように、装置本体１０、より具体的にはファン２０のケース２１の屋内側の面には、カバー１５の開閉に応答して作動するスイッチ７０が設置されている。
ファン２０のメンテナンスやフィルタ４０の交換の際に、カバー１５を開くとスイッチ７０がオフ位置となり、ファン２０のモータ２２を停止させるとともに、アクチュエータ５５を駆動してシャッタ板５０を閉じ位置（屋外側導入口１２ａを閉じる位置）まで移動する。
ファン２０のメンテナンスやフィルタ４０の交換が完了してカバー１５を閉じた時には、カバー１５に押されてスイッチがオン位置となり、これによりファン２０のモータ２２を回転駆動するとともに、アクチュエータ５５を駆動してシャッタ板５０を開き位置（屋外側導入口１２ａを開く位置）まで移動する。
【００３５】
装置本体１０内には図示しない電池（図示しない）が収容されている。この電池は非接触型（ワイヤレス）の給電システムにより充電される。簡単に説明すると、図５Ａに示すように、装置本体１０の右端部の屋内側には受電部８１が設けられており、窓枠１には送電部８２が設置されている。サッシ戸２が閉じ状態にある時に、送電部８２から受電部８１を経て電池が充電される。
【００３６】
上記構成をなす換気装置の作用を説明する。カバー１５が閉じられ、屋外側導入口１２ａが開きファン２０が回転駆動している状態では、屋外の空気が左右の屋外側導入口１２ａから導入され、屋外空気通路３７を通ってファン２０の左右の吸込口２４に吸い込まれる。これと同時に、屋内の空気が左右の屋内側導入口１３ａから導入され、屋内空気通路３８を通ってファン２０の左右の吸込口２４に吸い込まれる。
【００３７】
吸い込まれた屋外の空気と屋内の空気はファン２０において混合され、この混合された空気はファン２０の吐出口２５から正面壁１１の吹出口１５ａを経て屋内に吹き出す。吹き出した混合空気は屋外の空気のみならず屋内の空気も含んでいるため、寒冷時に屋内を暖房している状況において、屋外の冷気を屋内の暖気によって和らげることができ、その結果、屋内で結露が発生するのを防止でき、居住者の足元に冷気が付与されるのを防止できる。
本実施形態では、屋外空気の吸い込み量は屋内空気の吸い込み量より多く、例えば７：３であり、良好な換気を行なうことができる。
【００３８】
屋外空気通路３７と屋内空気通路３８は第１仕切壁部３５と第２仕切壁部３６からなる仕切壁により、ファン２０の吸込口２４に至るまで隔離されているので、屋外空気と屋内空気はファン２０の吸込口２４に至るまで混合されない。そのため、屋外の風圧の影響を大きく受けて屋外空気の吸い込み量の割合が異常に高くなる（屋内空気の吸い込み量の割合が異常に低くなる）のを防止でき、上記結露や居住者の足元への冷気付与を確実に防止することができる。
【００３９】
特に本実施形態では、屋外空気通路３７と屋内空気通路３８は、ファン２０の回転軸線と平行をなす第１仕切壁３５によりファン側通路部分３７ａ，３８ａに隔離されているので、屋外空気と屋内空気は回転軸線に沿って吸込口２４に吸い込まれる。そのため、両者の混合をより一層確実に阻止することができる。
また、屋外空気通路３７は屋外側導入口１２ａに連なる滞留室３７ｂを有しているので、この滞留室３７ｂがバッファとなり屋外の風圧の急変動の影響を弱めることができる。
【００４０】
屋内側導入口１３ａは底壁１３に形成されているので、屋内空気の吸い込み方向と吹き出し方向を異ならせることができ、これにより吹き出される混合空気が直ぐに屋内側導入口１３ａに導入するのを回避することができる。
【００４１】
屋外空気に含まれる花粉を含む塵埃は屋外空気が屋外側フィルタ部４７を通過する際に除去され、屋内空気に含まれる花粉を含む塵埃は屋内空気が屋内側フィルタ部４８を通過する際に除去されるので、吹出口１５ａから清浄な混合空気を吹き出すことができる。
【００４２】
ファン２０のメンテナンスやフィルタ４０の交換が必要な時には、カバー１５を開く。ファン２０のモータ２２は、ケース２１の屋内側の面にネジ止めされているので、このネジを外すことにより、ブレード２３と一緒にケース２１から簡単に取り外すことができる。
フィルタ４０はつまみ４５をつまんで第２仕切壁部３６に沿って引き抜くことにより簡単に引き抜くことができる。新しいフィルタ４０も前述したように簡単にセットすることができる。
【００４３】
上記実施形態では、本発明に係る換気装置を単独で用いているが、排気ファン付きの換気装置を装備した常時換気システムに用いることもできる。この換気システムでは、例えば排気ファンがトイレや浴室等のサッシ窓に設置され、本発明に係る換気装置が居室のサッシ戸等に設置される。この換気システムでは、排気ファンが屋内の空気を屋外に排出し、屋内を負圧にして屋外の空気を屋内に導く。このように、排気ファンが主に換気の役割を担うことができるので、本発明に係る換気装置は、居室に供給される屋外の冷気を緩和するために屋内空気を混合する役割を担うだけでもよい。この場合、本発明に係る換気装置のファンの出力は、排気ファンに比べて小さくて済む。
【００４４】
本発明は上記実施形態に制約されず種々の態様が可能である。
仕切壁の端とファンの吸込口とは、屋外空気と屋内空気が吸込口で混合しない程度に若干離間していてもよい。
【産業上の利用可能性】
【００４５】
本発明は、ファンを用いて屋外空気を屋内に吹き出すようにした換気装置に適用することができる。
【符号の説明】
【００４６】
３  換気装置
１０  装置本体
１１  正面壁
１１ａ  開口
１２  背面壁
１２ａ  屋外側導入口
１３  底壁
１３ａ  屋内側導入口
１５  カバー
１５ａ  吹出口
２０  ファン
２４  吸込口
３０  送風ガイド
３５  第１仕切壁部（仕切壁）
３６  第２仕切壁部（仕切壁）
３６ａ  連通口
３７  屋外空気通路
３７ａ  ファン側通路部分
３７ｂ  滞留室
３８  屋内空気通路
３８ａ  ファン側通路部分
３８ｂ  スペース
３９  フィルタ挿入口
４０  フィルタ
４７  屋外側フィルタ部
４８  屋内側フィルタ部
４９  境部
５０  シャッタ板
５５  アクチュエータ
７０  スイッチ
【図１】
2020190343.tif 000003
【図２Ａ】
2020190343.tif 000004
【図２Ｂ】
2020190343.tif 000005
【図３】
2020190343.tif 000006
【図４】
2020190343.tif 000007
【図５Ａ】
2020190343.tif 000008
【図５Ｂ】
2020190343.tif 000009
【図６Ａ】
2020190343.tif 000010
【図６Ｂ】
2020190343.tif 000011
【図６Ｃ】
2020190343.tif 000012